(57)【要約】【課題】この発明は、本体機器の有する複数の機能を選択的に関連付けることが可能なキーをリモートコントローラに設置することにより、ユーザにとっての取り扱いを容易化し十分に実用に適した操作性を有する映像表示装置及び映像表示方法を提供することを目的としている。【解決手段】複数のユニバーサルキーＡ〜Ｈのうち選択されたキーのキーコードと、本体機器１１の有する複数の機能のうち選択された機能を示す情報とを対応付けて記憶手段３６に記憶し、リモートコントローラ１７から送信されたキーコードが特定の機能に対応するキーのものである場合、そのキーコードに対応する機能を記憶手段３６の記憶内容に基づいて判別し実行する。【選択図】      図１
2007013738.tif 000002
【特許請求の範囲】
【請求項１】
リモートコントローラに設置された複数のキーの中で、特定の機能に対応する複数のキーから所定のキーを選択させるためのキー選択手段と、
自己の有する複数の機能から所定の機能を選択させるための機能選択手段と、
前記キー選択手段で選択されたキーのキーコードと前記機能選択手段で選択された機能を示す情報とを対応付けて記憶する記憶手段と、
前記リモートコントローラから送信されたキーコードを受信する受信手段と、
前記受信手段で受信したキーコードが、前記特定の機能に対応するキーのものである場合、そのキーコードに対応する機能を前記記憶手段の記憶内容に基づいて判別し実行する制御手段とを具備することを特徴とする映像表示装置。
【請求項２】
前記機能選択手段は、前記キー選択手段で選択されたキーに関連付ける機能を選択させるためのメニュー画面を表示させることを特徴とする請求項１記載の映像表示装置。
【請求項３】
前記制御手段は、
前記受信手段で受信したキーコードが前記特定の機能に対応するキーのものであるか否かを判別する判別手段と、
前記判別手段で前記特定の機能に対応するキーのキーコードであると判別されたとき、前記記憶手段からそのキーコードに対応する機能を示す情報を読み出す読み出し手段と、
前記読み出し手段で読み出された情報に対応する機能を実行させる実行手段とを具備することを特徴とする請求項１記載の映像表示装置。
【請求項４】
前記記憶手段に記憶された、前記特定の機能に対応する複数のキーとこれらのキーに対応付けられた機能との関連を表示するガイド手段を具備することを特徴とする請求項１記載の映像表示装置。
【請求項５】
リモートコントローラに設置された複数のキーの中で、特定の機能に対応する複数のキーから所定のキーを選択する第１の工程と、
自己の有する複数の機能から所定の機能を選択する第２の工程と、
前記第１の工程で選択されたキーのキーコードと前記第２の工程で選択された機能を示す情報とを対応付けて記憶する第３の工程と、
前記リモートコントローラから送信されたキーコードを受信する第４の工程と、
前記第４の工程で受信したキーコードが、前記特定の機能に対応するキーのものである場合、そのキーコードに対応する機能を前記第３の工程で記憶された記憶内容に基づいて判別し実行する第５の工程とを具備することを特徴とする映像表示方法。
【請求項６】
前記第２の工程は、前記第１の工程で選択されたキーに関連付ける機能を選択させるためのメニュー画面を表示させることを特徴とする請求項５記載の映像表示方法。
【請求項７】
前記第５の工程は、
前記第４の工程で受信したキーコードが前記特定の機能に対応するキーのものであるか否かを判別する判別工程と、
前記判別工程で前記特定の機能に対応するキーのキーコードであると判別されたとき、前記第３の工程で記憶された記憶内容からそのキーコードに対応する機能を示す情報を読み出す読み出し工程と、
前記読み出し工程で読み出された情報に対応する機能を実行させる実行工程とを具備することを特徴とする請求項５記載の映像表示方法。
【請求項８】
前記第３の工程で記憶された、前記特定の機能に対応する複数のキーとこれらのキーに対応付けられた機能との関連を表示するガイド工程を具備することを特徴とする請求項５記載の映像表示方法。
【請求項９】
リモートコントローラのキー操作に基づいて映像表示装置を制御する映像表示システムであって、
前記リモートコントローラに設置された複数のキーの中で、特定の機能に対応する複数のキーから所定のキーを選択させるためのキー選択手段と、
前記映像表示装置の有する複数の機能から所定の機能を選択させるための機能選択手段と、
前記キー選択手段で選択されたキーのキーコードと前記機能選択手段で選択された機能を示す情報とを対応付けて記憶する記憶手段と、
前記リモートコントローラから送信されたキーコードを前記映像表示装置に受信させる受信手段と、
前記受信手段で受信したキーコードが、前記特定の機能に対応するキーのものである場合、そのキーコードに対応する機能を前記記憶手段の記憶内容に基づいて判別し、その機能を前記映像表示装置に実行させる制御手段とを具備することを特徴とする映像表示システム。
【発明の詳細な説明】
【技術分野】
【０００１】
この発明は、例えばテレビジョン放送受信装置等のようにリモートコントローラのキー操作によって制御される映像表示装置及び映像表示方法に関する。
【背景技術】
【０００２】
周知のように、近年では、テレビジョン放送受信装置に搭載される機能が豊富になり、その機能の多さ故にリモートコントローラが備えるキーの数が増加して、非常に扱い難いものとなっている。
【０００３】
そして、このような問題に対処するために、従来より、階層式のメニューを用いて必要な機能を選択する構成や、リモートコントローラに蓋を設けてその蓋にもキーを設置する構成等が考えられている。
【０００４】
しかしながら、このような対策は、問題を根本的に解決するものではなく、例えば、前者では階層化されたメニューに分け入るための操作が煩雑であり、後者ではキーの数を減らすのに限度があるとともに、蓋を開閉する手間が強いられることになる。
【０００５】
一方、現状では、リモートコントローラの各キーに割り当てられた符号（以下、リモコンコードという）をそのまま記憶することができるリモートコントローラ、いわゆる、学習リモコンが存在する。
【０００６】
この学習リモコンは、実際にリモートコントローラから発せられるリモコンコードを取り込み、自己のキーに対応させてメモリに記憶しておき、所定のキーが操作されると、そのキーに対応して記憶されているリモコンコードを送信する。
【０００７】
ユーザは、リモートコントローラの中で、自分の使用したいキーのリモコンコードだけを学習リモコンに記憶させることにより、煩雑なキー操作を容易化し必要とする機能に対応したキー操作を迅速に行なうことが可能となる。
【０００８】
しかしながら、この学習リモコンは、以下に述べる問題点を有している。まず、リモートコントローラから発せられるリモコンコードには各メーカ毎に特徴があるため、取り込んだリモコンコードが正しく記憶されない場合がある。
【０００９】
また、電池電力が消耗すると、メモリに記憶しているリモコンコードが消えてしまうことになる。なお、現在では、バックアップ付き、または、不揮発性メモリを使用する学習リモコンも出現している。
【００１０】
さらに、階層化されたメニューの中にある機能を選択することが不可能である。なお、複数のリモコンコードを順次送信するようにプログラムすることができる学習リモコンも存在するが、リモコンコードの送信中、学習リモコンを定位置に固定する必要があり、実用には不向きである。
【００１１】
なお、予め各メーカのリモコンコードを記憶したプリセット式のリモートコントローラも出現しているが、基本機能に対応したリモコンコードしか記憶されていないため、十分に実用に適するとは言えないのが現状である。
【００１２】
特許文献１には、リモコンユニットの釦に対応した制御コードを記憶する記憶部を制御される機器側に有し、記憶部の制御コードをリモコンユニットの釦または機器の釦操作により設定し、釦が操作されると機器が記憶部から制御コードを読み出して制御を行なうようにした構成が開示されている。
【特許文献１】特開平９−２１５０７０号公報
【発明の開示】
【発明が解決しようとする課題】
【００１３】
そこで、この発明は上記事情を考慮してなされたもので、本体機器の有する複数の機能を選択的に関連付けることが可能なキーをリモートコントローラに設置することにより、ユーザにとっての取り扱いを容易化し十分に実用に適した操作性を有する映像表示装置及び映像表示方法を提供することを目的とする。
【課題を解決するための手段】
【００１４】
この発明の実施の形態に係る映像表示装置は、リモートコントローラに設置された複数のキーの中で、特定の機能に対応する複数のキーから所定のキーを選択させるためのキー選択手段と、自己の有する複数の機能から所定の機能を選択させるための機能選択手段と、キー選択手段で選択されたキーのキーコードと機能選択手段で選択された機能を示す情報とを対応付けて記憶する記憶手段と、リモートコントローラから送信されたキーコードを受信する受信手段と、受信手段で受信したキーコードが、特定の機能に対応するキーのものである場合、そのキーコードに対応する機能を記憶手段の記憶内容に基づいて判別し実行する制御手段とを備えるようにしたものである。
【００１５】
また、この発明の実施の形態に係る映像表示方法は、リモートコントローラに設置された複数のキーの中で、特定の機能に対応する複数のキーから所定のキーを選択する第１の工程と、自己の有する複数の機能から所定の機能を選択する第２の工程と、第１の工程で選択されたキーのキーコードと第２の工程で選択された機能を示す情報とを対応付けて記憶する第３の工程と、リモートコントローラから送信されたキーコードを受信する第４の工程と、第４の工程で受信したキーコードが、特定の機能に対応するキーのものである場合、そのキーコードに対応する機能を第３の工程で記憶された記憶内容に基づいて判別し実行する第５の工程とを備えるようにしたものである。
【発明の効果】
【００１６】
上記した構成及び方法によれば、リモートコントローラに設置された特定の機能に対応する複数のキーに、本体機器が有する各種の機能を選択的に関連付けることができるようにし、特定の機能に対応するキーを操作することにより関連付けられた機能を実行することができるようにしている。
【００１７】
このため、ユーザは、自己が多用する機能を特定の機能に対応するキーに関連付けておくことができるため、ユーザにとって取り扱いが容易となり十分に実用に適した操作性を得ることが可能となる。また、リモートコントローラに機能別にキーを設置する必要がなくなるため、キー数を削減することができる。
【発明を実施するための最良の形態】
【００１８】
以下、この発明の実施の形態について図面を参照して詳細に説明する。図１は、この実施の形態で説明するテレビジョン放送受信装置１１の正面側の外観を示している。すなわち、このテレビジョン放送受信装置１１は、主として、装置本体となるほぼ四角形状に形成された薄型のキャビネット１２と、このキャビネット１２を起立させて支持するスタンド１３とから構成されている。
【００１９】
そして、上記キャビネット１２には、その正面に、例えば平面型液晶表示パネル等でなる映像表示器１４の表示画面１４ａが露出されるとともに、一対のスピーカ１５、操作部１６、後述するリモートコントローラ（図１では図示せず）１７から送信される操作情報を受けるための受光部１８等が配置されている。
【００２０】
ここで、このテレビジョン放送受信装置１１は、上記した各種の受信動作を含む種々の動作を制御部３５によって統括的に制御されている。この制御部３５は、ＣＰＵ（central processing unit）等を内蔵したマイクロプロセッサであり、上記操作部１６や操作子２１（図２では図示せず）からの操作情報、または、上記リモートコントローラ１７から送信された操作情報を受光部１８を介して受けることにより、その操作内容が反映されるように各部をそれぞれ制御している。
【００２１】
この場合、制御部３５は、メモリ部３６を使用している。このメモリ部３６は、主として、そのＣＰＵが実行する制御プログラムを格納したＲＯＭ（read only memory）と、該ＣＰＵに作業エリアを提供するためのＲＡＭ（random access memory）と、各種の設定情報及び制御情報等が格納される不揮発性メモリとを備えている。
【００２２】
図３は、上記リモートコントローラ１７の外観を示している。このリモートコントローラ１７には、主として、電源キー１７ａ、数字キー１７ｂ、メニューキー１７ｃ、カーソルキー１７ｄ、決定キー１７ｅ、８つのユニバーサルキーＡ〜Ｈを有するキー群１７ｆ、表示キー１７ｇ等が設けられている。
【００２３】
ここで、上記ユニバーサルキーＡ〜Ｈには、それぞれ、テレビジョン放送受信装置１１が有する各種の機能を選択的に関連付けることが可能である。これにより、ユニバーサルキーＡ〜Ｈを操作することにより、操作されたユニバーサルキーＡ〜Ｈに関連付けられた機能を実行させることができる。
【００２４】
この場合、各ユニバーサルキーＡ〜Ｈには、それぞれ、テレビジョン放送受信装置１１が有する各種の機能のうち、階層化されたメニューの中にある機能も関連付けることができる。すなわち、ユニバーサルキーＡ〜Ｈを操作することにより、階層化されたメニューの中にある機能も実行させることができる。
【００２５】
図４は、リモートコントローラ１７のユニバーサルキーＡ〜Ｈに、テレビジョン放送受信装置１１が有する各種の機能を選択的に関連付けるための処理動作を説明するフローチャートを示している。この処理動作は、ユーザがリモートコントローラ１７を操作して、キー関連付けメニュー画面を映像表示器１４に表示させることにより、開始（ステップＳ１）される。
【００２６】
このキー関連付けメニュー画面は、リモートコントローラ１７のメニューキー１７ｃを操作して階層の最上位に位置するメニュー画面を表示させ、そのメニュー画面からカーソルキー１７ｄ及び決定キー１７ｅを操作して階層の内部に分け入ることにより、表示させることができる。
【００２７】
このように、キー関連付けメニュー画面を表示させる操作が行なわれると、制御部３５は、ステップＳ２で、映像表示器１４にキー関連付けメニュー画面を表示させる。このキー関連付けメニュー画面は、図５（ａ）に示すように、各ユニバーサルキーＡ〜Ｈを示すアイテム３７と、これらのアイテム３７に対応して機能を表示するエリア３８とが表示されている。
【００２８】
そして、このキー関連付けメニュー画面上において、ユーザが、リモートコントローラ１７のカーソルキー１７ｄを操作して、所望のユニバーサルキーＡ〜Ｈを示すアイテム３７を選択することができる。
【００２９】
ここで、上記制御部３５は、ステップＳ３で、キー関連付けメニュー画面上で所定のユニバーサルキーＡ〜Ｈが選択されたことを検知すると、ステップＳ４で、映像表示器１４に機能選択メニュー画面を表示させる。
【００３０】
この機能選択メニュー画面は、図５（ｂ）に示すように、テレビジョン放送受信装置１１が搭載している各種の機能を、「便利機能」、「映像設定」、「音声設定」、「初期設定」の４つの項目３９に分類して表示している。
【００３１】
そして、この機能選択メニュー画面上において、ユーザが、リモートコントローラ１７のカーソルキー１７ｄを操作して、所望の項目３９（図では「便利機能」）を選択する。すると、その選択された項目３９に含まれる各種の機能（picture-out-picture，チャンネルサーチ，picture-in-picture等）を示す項目４０が表示される。
【００３２】
このため、ユーザは、リモートコントローラ１７のカーソルキー１７ｄを操作して、所望の機能に対応する項目４０を選択し、決定キー１７ｅを操作することにより、先に選択したユニバーサルキーＡ〜Ｈに関連付ける所望の機能を選定することができる。
【００３３】
そして、上記制御部３５は、機能選択メニュー画面上で所定の機能が選定されたことを検知すると、ステップＳ５で、先にユーザが選択したユニバーサルキーＡ〜Ｈに、ユーザの選定した機能の関連付けを行なって、処理を終了（ステップＳ６）する。
【００３４】
ここで、ユニバーサルキーＡ〜Ｈと機能との関連付けは、機能設定テーブルによって管理される。この機能設定テーブルは、図６に示すように、各ユニバーサルキーＡ〜Ｈに割り当てられたキーコードと、機能を特定する情報（階層位置や名称）とを対応させて記憶したもので、上記メモリ部３６の不揮発性メモリ等に格納されている。
【００３５】
図６に示す機能設定テーブルでは、ユニバーサルキーＡにチャンネルサーチ機能、ユニバーサルキーＢにpicture-out-picture機能、ユニバーサルキーＥに映像モード１機能、ユニバーサルキーＦに映像モード２機能、ユニバーサルキーＧに映像モード３機能、ユニバーサルキーＨに映像モード４機能がそれぞれ関連付けられ、ユニバーサルキーＣ，Ｄには何も機能が関連付けられていない状態を表わしている。
【００３６】
また、上記のようなユニバーサルキーＡ〜Ｈと機能との関連付けによれば、ユニバーサルキーＡ〜Ｈには、階層化されたメニューの中にある機能を直接関連付けることが可能となる。
【００３７】
図７は、リモートコントローラ１７のキー操作が行なわれた場合のテレビジョン放送受信装置１１の処理動作を説明するフローチャートを示している。すなわち、処理が開始（ステップＳ７）され、ステップＳ８で、リモートコントローラ１７から送信されたキーコードが受信されると、制御部３５は、ステップＳ９で、受信されたキーコードを解析し、ステップＳ１０で、ユニバーサルキーＡ〜Ｈのキーコードであるか否かを判別する。
【００３８】
そして、ユニバーサルキーＡ〜Ｈのキーコードであると判断された場合（ＹＥＳ）、制御部３５は、ステップＳ１１で、機能設定テーブルを参照して、そのキーコードに対応する機能を特定する情報を読み出し、ステップＳ１２で、その読み出した情報に基づいて機能を実行し、処理を終了（ステップＳ１４）する。
【００３９】
また、上記ステップＳ１０でユニバーサルキーＡ〜Ｈのキーコードでないと判断された場合（ＮＯ）、制御部３５は、ステップＳ１３で、そのキーコードに対応した機能を実行して、処理を終了（ステップＳ１４）する。
【００４０】
上記した実施の形態によれば、リモートコントローラ１７に設置されたユニバーサルキーＡ〜Ｈに、テレビジョン放送受信装置１１が有する各種の機能を選択的に関連付けることができるようにし、ユニバーサルキーＡ〜Ｈを操作することにより関連付けられた機能を実行することができるようにしている。
【００４１】
このため、ユーザは、自己が多用する機能をユニバーサルキーＡ〜Ｈに関連付けておくことができるため、ユーザにとって取り扱いが容易となり十分に実用に適した操作性を得ることが可能となる。また、リモートコントローラ１７に機能別にキーを設置する必要がなくなるため、キー数を削減することができる。
【００４２】
さらに、ユニバーサルキーＡ〜Ｈには、階層化されたメニューの中にある機能を直接関連付けることができる。このため、ユニバーサルキーＡ〜Ｈを操作するだけで、階層に分け入る煩雑な操作を行なうことなく必要な機能を実行させることができるので、このような点でも、ユーザにとっての取り扱いを便利にすることができる。
【００４３】
また、ユニバーサルキーＡ〜Ｈとそれに関連付けられた機能との対応関係を表示させるためのガイド機能を設けることができる。このガイド機能としては、リモートコントローラ１７の表示キー１７ｇを操作することにより、図８に示すように、ユニバーサルキーＡ〜Ｈと機能との対応関係を、通常の表示画面に重ねて映像表示器１４に表示させるようにすることが考えられる。
【００４４】
さらに、ガイド機能としては、ユニバーサルキーＡ〜Ｈと機能との対応関係を、テレビジョン放送受信装置１１の電源投入時等、ある種のタイミングで自動的に一定時間表示させるようにすることも可能である。
【００４５】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００４６】
【図１】この発明の実施の形態を示すもので、テレビジョン放送受信装置の外観を説明するために示す斜視図。
【図２】同実施の形態におけるテレビジョン放送受信装置の信号処理系を説明するために示すブロック構成図。
【図３】同実施の形態におけるテレビジョン放送受信装置のリモートコントローラを説明するために示す図。
【図４】同実施の形態におけるリモートコントローラのユニバーサルキーに機能を関連付ける処理動作を説明するために示すフローチャート。
【図５】同実施の形態におけるリモートコントローラのユニバーサルキーに機能を関連付ける処理動作で表示されるメニュー画面の一例を説明するために示す図。
【図６】同実施の形態におけるリモートコントローラのユニバーサルキーと機能との関連付けを管理する機能設定テーブルを説明するために示す図。
【図７】同実施の形態におけるテレビジョン放送受信装置の処理動作を説明するために示すフローチャート。
【図８】同実施の形態におけるテレビジョン放送受信装置のガイド機能により表示された画面の一例を説明するために示す図。
【符号の説明】
【００４７】
１１…テレビション放送受信装置、１２…キャビネット、１３…スタンド、１４…映像表示器、１５…スピーカ、１６…操作部、１７…リモートコントローラ、１８…受光部、１９…支持部材、２０…ＨＤＤ部、２１…操作子、２２…アンテナ、２３…入力端子、２４…チューナ部、２５…デコーダ部、２６…セレクタ、２７…アンテナ、２８…入力端子、２９…チューナ部、３０…Ａ／Ｄ変換部、３１…入力端子、３２…Ａ／Ｄ変換部、３３…入力端子、３４…信号処理部、３５…制御部、３６…メモリ部、３７…アイテム、３８…エリア、３９，４０…項目。
【図１】
2007013738.tif 000003
【図２】
2007013738.tif 000004
【図３】
2007013738.tif 000005
【図４】
2007013738.tif 000006
【図５】
2007013738.tif 000007
【図６】
2007013738.tif 000008
【図７】
2007013738.tif 000009
【図８】
2007013738.tif 000010